【手続補正書】
【提出日】平成17年3月2日(2005.3.2)
【手続補正１】
【補正対象書類名】明細書
【補正対象項目名】発明の名称
【補正方法】変更
【補正の内容】
【発明の名称】情報処理装置及びプロジェクタ
【手続補正２】
【補正対象書類名】明細書
【補正対象項目名】特許請求の範囲
【補正方法】変更
【補正の内容】
【特許請求の範囲】
【請求項１】
画像データを供給する情報処理装置と、前記情報処理装置から供給された画像データに基づいて画像を生成してスクリーンに投射して表示させるプロジェクタとを備えたプロジェクタシステムに使用される前記情報処理装置であって、
前記プロジェクタの表示デバイスの仕様に対応した画像データを生成する画像加工手段を備え、
前記画像加工手段は、前記プロジェクタと投射されるスクリーンとの位置関係に応じた台形歪みを補正するための台形補正手段を備えたことを特徴とする情報処理装置。
【請求項２】
前記画像加工手段は、前記プロジェクタの表示デバイスを構成するＬＣＤの個体ばらつき等を含んだ特性データを反映して画像データを補正するガンマ補正手段と、前記画像データの色むらを補正する色むら補正手段とを備えたことを特徴とする請求項１記載の情報処理装置。
【請求項３】
前記画像加工手段は、画像データの明るさに対応してプロジェクタの光源の明るさを制御するための調光信号を生成して、前記プロジェクタに送信させて当該光源の明るさを制御させる調光制御手段と、前記調光制御手段の出力に基づいて前記画像データの階調を変更する階調変更手段とを備えたことを特徴とする請求項１又は２記載の情報処理装置。
【請求項４】
前記画像加工手段は、プロジェクタにより得られる画像を調整するための映像調整部を備えたことを特徴とする請求項１〜３の何れかに記載の情報処理装置。
【請求項５】
映像パラメータを設定するためのメニューを当該情報処理装置の表示装置に表示させるメニュー表示手段を備え、前記画像加工手段は、映像パラメータが設定されると、その映像パラメータを前記プロジェクタ側に送信させることを特徴とする請求項１〜４の何れかに記載の情報処理装置。
【請求項６】
個別のパラメータ設定テーブルを備え、前記プロジェクタに対応した個別のＩＤごとに映像パラメータを読み込んで前記パラメータ設定テーブルに保存することを特徴とする請求項１〜５の何れかに何れかに記載の情報処理装置。
【請求項７】
画像データを供給する情報処理装置と、前記情報処理装置から供給された画像データに基づいて画像を生成してスクリーンに投射して表示させるプロジェクタとを備えたプロジェクタシステムに使用される前記プロジェクタであって、
フレームメモリと、
表示デバイスと、
前記情報処理装置からシリアルバスを介して受信した画像データを復号して、前記フレームメモリに画像を描画し、その画像の画像データを前記表示デバイスに出力する表示制御手段と、
各種の映像パラメータとしてガンマ補正値、色むら補正値及びリサイズ補正値が保存されるパラメータ記憶手段とを備え、
前記情報処理装置からの送信要求に基づいて前記映像パラメータを前記シリアルバスを介して送信することを特徴とするプロジェクタ。
【請求項８】
前記表示制御手段は、前記表示デバイスのタイミングに合わせて画像データを前記表示デバイスに出力することを特徴とする請求項７記載のプロジェクタ。
【請求項９】
前記パラメータ記憶手段のリサイズ補正値は電源投入時又は電源遮断時に初期化され、新たに設定されたリサイズ補正値は初期化処理されるまで保存されることを特徴とする請求項７又は８記載のプロジェクタ。
【請求項１０】
プロジェクタに対応した個別のＩＤごとに映像パラメータを前記情報処理装置に送信して保存させることを特徴とする請求項７〜９の何れかに記載のプロジェクタ。
【手続補正３】
【補正対象書類名】明細書
【補正対象項目名】０００１
【補正方法】変更
【補正の内容】
【０００１】
【発明の属する技術分野】
本発明は、プロジェクタシステムに用いられるパーソナルコンピュータ（以下ＰＣという）等の情報処理装置及びプロジェクタ（投射型映像機器）に関する。
【手続補正４】
【補正対象書類名】明細書
【補正対象項目名】０００４
【補正方法】変更
【補正の内容】
【０００４】
本発明は、このような背景のもとでなされたものであり、少なくとも、映像信号の劣化を防ぐとともにプロジェクタの消費電力の低減を図ることを可能にするプロジェクタシステムに使用される情報処理装置及びプロジェクタを提供することを目的とする。
【手続補正５】
【補正対象書類名】明細書
【補正対象項目名】０００５
【補正方法】変更
【補正の内容】
【０００５】
【課題を解決するための手段】
本発明に係る情報処理装置は、画像データを供給する情報処理装置と、前記情報処理装置から供給された画像データに基づいて画像を生成してスクリーンに投射して表示させるプロジェクタとを備えたプロジェクタシステムに使用される前記情報処理装置であって、前記プロジェクタの表示デバイスの仕様に対応した画像データを生成する画像加工手段を備え、前記画像加工手段は、前記プロジェクタと投射されるスクリーンとの位置関係に応じた台形歪みを補正するための台形補正手段を備えたものである。
【手続補正６】
【補正対象書類名】明細書
【補正対象項目名】０００６
【補正方法】変更
【補正の内容】
【０００６】
本発明に係る情報処理装置において、前記画像加工手段は、前記プロジェクタの表示デバイスを構成するＬＣＤの個体ばらつき等を含んだ特性データを反映して画像データを補正するガンマ補正手段と、前記画像データの色むらを補正する色むら補正手段とを備えたものである。
【手続補正７】
【補正対象書類名】明細書
【補正対象項目名】０００７
【補正方法】変更
【補正の内容】
【０００７】
本発明に係る情報処理装置において、前記画像加工手段は、画像データの明るさに対応してプロジェクタの光源の明るさを制御するための調光信号を生成して、前記プロジェクタに送信させて当該光源の明るさを制御させる調光制御手段と、前記調光制御手段の出力に基づいて前記画像データの階調を変更する階調変更手段とを備えたものである。
【手続補正８】
【補正対象書類名】明細書
【補正対象項目名】０００８
【補正方法】変更
【補正の内容】
【０００８】
本発明に係る情報処理装置において、前記画像加工手段は、プロジェクタにより得られる画像を調整するための映像調整部を備えたものである。
【手続補正９】
【補正対象書類名】明細書
【補正対象項目名】０００９
【補正方法】変更
【補正の内容】
【０００９】
本発明に係る情報処理装置は、映像パラメータを設定するためのメニューを当該情報処理装置の表示装置に表示させるメニュー表示手段を備え、前記画像加工手段は、映像パラメータが設定されると、その映像パラメータを前記プロジェクタ側に送信させる。
【手続補正１０】
【補正対象書類名】明細書
【補正対象項目名】００１０
【補正方法】変更
【補正の内容】
【００１０】
本発明に係る情報処理装置は、個別のパラメータ設定テーブルを備え、前記プロジェクタに対応した個別のＩＤごとに映像パラメータを読み込んで前記パラメータ設定テーブルに保存する。
【手続補正１１】
【補正対象書類名】明細書
【補正対象項目名】００１１
【補正方法】変更
【補正の内容】
【００１１】
本発明に係るプロジェクタは、画像データを供給する情報処理装置と、前記情報処理装置から供給された画像データに基づいて画像を生成してスクリーンに投射して表示させるプロジェクタとを備えたプロジェクタシステムに使用される前記プロジェクタであって、フレームメモリと、表示デバイスと、前記情報処理装置からシリアルバスを介して受信した画像データを復号して、前記フレームメモリに画像を描画し、その画像の画像データを前記表示デバイスに出力する表示制御手段と、各種の映像パラメータとしてガンマ補正値、色むら補正値及びリサイズ補正値が保存されるパラメータ記憶手段とを備え、前記情報処理装置からの送信要求に基づいて前記映像パラメータを前記シリアルバスを介して送信する。
【手続補正１２】
【補正対象書類名】明細書
【補正対象項目名】００１２
【補正方法】変更
【補正の内容】
【００１２】
本発明に係るプロジェクタにおいて、前記表示制御手段は、前記表示デバイスのタイミングに合わせて画像データを前記表示デバイスに出力する。
【手続補正１３】
【補正対象書類名】明細書
【補正対象項目名】００１３
【補正方法】変更
【補正の内容】
【００１３】
本発明に係るプロジェクタにおいて、前記パラメータ記憶手段のリサイズ補正値は電源投入時又は電源遮断時に初期化され、新たに設定されたリサイズ補正値は初期化処理されるまで保存される。
【手続補正１４】
【補正対象書類名】明細書
【補正対象項目名】００１４
【補正方法】変更
【補正の内容】
【００１４】
本発明に係るプロジェクタは、プロジェクタに対応した個別のＩＤごとに映像パラメータを前記情報処理装置に送信して保存させる。
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２６
【補正方法】削除
【補正の内容】
【手続補正２７】
【補正対象書類名】明細書
【補正対象項目名】００２７
【補正方法】削除
【補正の内容】
【手続補正２８】
【補正対象書類名】明細書
【補正対象項目名】００２８
【補正方法】削除
【補正の内容】
【手続補正２９】
【補正対象書類名】明細書
【補正対象項目名】００２９
【補正方法】削除
【補正の内容】
【手続補正３０】
【補正対象書類名】明細書
【補正対象項目名】００３０
【補正方法】削除
【補正の内容】
【手続補正３１】
【補正対象書類名】明細書
【補正対象項目名】００３１
【補正方法】削除
【補正の内容】
【手続補正３２】
【補正対象書類名】明細書
【補正対象項目名】００３２
【補正方法】削除
【補正の内容】
【手続補正３３】
【補正対象書類名】明細書
【補正対象項目名】００３３
【補正方法】削除
【補正の内容】
【手続補正３４】
【補正対象書類名】明細書
【補正対象項目名】００３４
【補正方法】削除
【補正の内容】
【手続補正３５】
【補正対象書類名】明細書
【補正対象項目名】００３５
【補正方法】削除
【補正の内容】
【手続補正３６】
【補正対象書類名】明細書
【補正対象項目名】００３６
【補正方法】削除
【補正の内容】